(57)【要約】【課題】本発明は、例えば、同軸コネクタ等のコネクタの半田付け用治具に関し、高度の真空状態において使用される測定機器等の機器内部から同軸コネクタを介して外部に信号を取り出す際に使用される同軸コネクタの機密性を高度に維持して量産化できるようにすることが課題である。【解決手段】同軸コネクタの中心コンタクトにおける半田付け部分に先端部が当接する長さに形成された腕部２と、前記中心コンタクトの端面に当接して当該中心コンタクトとの位置決めをする位置決め部材３と、前記腕部と前記位置決め部材とを支持するとともに、前記同軸コネクタの開口端面に当接するフランジを有する基部４とからなり、前記腕部が高熱伝導率材料で形成され、前記位置決め部材が低熱伝導率材料で形成されているコネクタの半田付け用治具１である。【選択図】    図１
2004296398.tif 000002
【特許請求の範囲】
【請求項１】
同軸コネクタの中心コンタクトにおける半田付け部分に先端部が当接する長さに形成された腕部と、
前記中心コンタクトの端面に当接して当該中心コンタクトとの位置決めをする位置決め部材と、
前記腕部と前記位置決め部材とを支持するとともに、前記同軸コネクタの開口端面に当接するフランジを有する基部とからなり、
前記腕部が高熱伝導率材料で形成され、前記位置決め部材が低熱伝導率材料で形成されていること、
を特徴とするコネクタの半田付け用治具。
【請求項２】
基部には、同軸コネクタの開口部側の外周部に設けられた接続用ねじ部に螺合する固定リングが設けられていること、
を特徴とする請求項１に記載のコネクタの半田付け用治具。
【請求項３】
請求項１または請求項２に記載のコネクタの半田付け用治具を同軸コネクタに嵌合させ、その同軸コネクタを加熱炉に流して、中心コンタクトを構成する中心導体とスリーブとの半田付けを行い、前記半田付け用治具を同軸コネクタから取り外すこと、
を特徴とするコネクタの半田付け方法。
【発明の詳細な説明】
【０００１】
【発明の属する技術分野】
本発明は、例えば、同軸コネクタ等のコネクタにおける、中心コンタクトの半田付け方法とその治具に係り、詳しくは、高度の真空状態において使用される測定機器等の機器内外の電気及び電気信号の伝送の中継に使用される同軸コネクタにおいて、そのコネクタ内部を気密に封止する、コネクタの半田付け方法、又は、導電材料を外殻に有し中心導体と前記外殻を気密封止ししてなる部品と、同軸コネクタ外殻部と、中心コンタクトとの半田付け方法とその治具に関する。
【０００２】
【従来の技術】
高度の真空状態において使用される機器であって、その機器内外の電気及び電気信号の伝送の中継に使用される同軸コネクタは、内外に芯線と接続するための中心コンタクト部分においても、気密性が要求される。
【０００３】
従来は、図４（Ａ）に示すように、ガラス製の円筒シール材２０に外筒金属板２０ｂと中心導体２１とを嵌合させて、これをガラス溶融温度環境において、気密に封止して一体化し、更に、図４（Ｂ）に示すように、前記中心導体２１の両端部に、バネ付勢用の擦り割りを有する導電性材料（例えば、銅）のスリーブ（雌コンタクトとなる）２２を嵌合させて半田付けする。
【０００４】
そして、前記中心導体２１とスリーブ２２とでなる中心コンタクトを一体化させた前記シール材２０を同軸コネクタのハウジングにおける取付孔に嵌合させて半田付けし、気密に封止させてハーメチック構造としている。
前記中心コンタクトを前記取付孔に気密に封止する方法としては、図４（Ｃ）に示すように、前記中心コンタクト（中心導体２１とスリーブ２２）２０ａを一体化させたシール材２０を、同軸コネクタのハウジング２３の取付孔部に嵌合させ、当該取付孔部の内周壁面とシール材２０の外筒金属板２０ｂの外周面との隙間にまんべんなく半田を流し込んで固着してハーメチック構造としている。
【０００５】
こうして、図４（Ｄ）に示すように、測定器等の機器の筐体２４に前記同軸コネクタ２５を装着し、外部側から接続用の同軸ケーブルを接続して、信号等を外部に取り出している。このように、気密性を保つハーメチック構造の同軸コネクタが知られている（例えば、特許文献１参照。）。
【０００６】
【特許文献１】
特開２００１−２５７５１０号公報（第２頁〜第４頁、第３図）
【０００７】
【発明が解決しようとする課題】
しかしながら、このような同軸コネクタを量産する上で、高度真空状態の下で使用される同軸コネクタであるので、機密性を高める為には、ハウジング２３とシール材２０とをハーメチックシールで気密性を高めて封止させた方が得策であるが、高熱環境下では一体化されている前記スリーブ２２が鈍ってしまい、当該スリーブ２２の嵌合保持力が低下するおそれがある。
【０００８】
また、ハウジング２３に、中心導体２１とシール材２０とを同時に加熱して一体化させて封止しハーメチック構造にした後に、スリーブ２２を中心導体２１に取り付けてリフローで半田付けするのでは、高気密性は維持されるもののハウジング２３内部へ加熱炉の熱が伝わりにくく、スリーブ２２の半田付けが事実上不可能である。
【０００９】
更に、シール材２０に外筒金属板を設けてハウジングに半田付けした場合は、半田の巣等により高気密性が保てないという課題がある。そこで、本発明に係るコネクタの半田付け方法とその治具は、加熱炉の熱がハウジング２３内部まで効率的に伝熱するようにして、このような課題を解決するために提案されたものである。
【００１０】
【課題を解決するための手段】
上記課題を解決するために、本発明に係るコネクタの半田付け用治具の要旨は、同軸コネクタの中心コンタクトにおける半田付け部分に先端部が当接する長さに形成された腕部と、前記中心コンタクトの端面に当接して当該中心コンタクトとの位置決めをする位置決め部材と、前記腕部と前記位置決め部材とを支持するとともに、前記同軸コネクタの開口端面に当接するフランジを有する基部とからなり、前記腕部が高熱伝導率材料で形成され、前記位置決め部材が低熱伝導率材料で形成されていることである。
【００１１】
前記基部には、同軸コネクタの開口部側の外周部に設けられた接続用ねじ部に螺合する固定リングが設けられていることを含むものである。
【００１２】
本発明に係るコネクタの半田付け方法は、前記本発明に係るコネクタの半田付け用治具を同軸コネクタに嵌合させ、その同軸コネクタを加熱炉に流して、中心コンタクトを構成する中心導体とスリーブとの半田付けを行い、前記半田付け用治具を同軸コネクタから取り外すことである。
【００１３】
本発明に係るコネクタの半田付け方法とその治具によれば、同軸コネクタのハウジングと中心コンタクトとをハーメチック構造にした後に、コンタクトとなるスリーブを中心コンタクトに半田付けすることができるようになり、同軸コネクタの高気密性が維持され、前記スリーブの鈍りも生じることがなく、嵌合保持力が維持される。
【００１４】
【発明の実施の形態】
次に、本発明に係るコネクタの半田付け方法とその治具１について、図面を参照して説明する。なお、発明の理解を容易にするため、従来例に対応する部分には従来例と同一の符号を付けて説明する。
【００１５】
前記半田付け用治具１は、図１乃至図２に示すように、同軸コネクタ２５の中心コンタクト２０ａにおける半田付け部分に先端部２ａが当接する長さに形成された腕部２と、前記中心コンタクト２０ａの端面に当接して当該中心コンタクト２０ａとの位置決めをする位置決め部材３と、前記腕部２と前記位置決め部材３とを支持するとともに、前記同軸コネクタ２５の開口端面に当接するフランジ４ａを有する基部４とからなる。
【００１６】
前記腕部２が、図２に示すように、長手方向に直交する周方向に４箇所のスリット２ｂが設けられ、先端部２ａでスリーブ２２の外周部で半田付け部分に嵌合する。また、この腕部２は、例えば、カーボン等の熱伝導率の良い高熱伝導率材料で形成されている。
【００１７】
更に、前記位置決め部材３は、ガラス等の熱伝導率の低い、低熱伝導率材料（断熱材）で形成されている。前記位置決め部材３は、前記基部４に対して、軸心方向にスライド自在である。なお、符号５は、前記位置決め部材３をハウジング２３の中央部に向けて押し込む作用をする押え部材を示している。
【００１８】
また、半田付け用治具１の他の実施例として、図３に示すように、基部４には、同軸コネクタ２５の開口部側の外周部に設けられた接続用ねじ部２５ａ（図１参照）に螺合する固定リング６が設けられている半田付け用治具１ａにしたものである。前記固定リング６は、基部４に対して回転自在にされている。
【００１９】
前記治具１，１ａを使用して、本発明に係るコネクタの半田付け方法を説明する。先ず、図１に示すように、ハウジング２３の取付孔に、シール材２０と中心導体２１とをハーメチック構造にして取り付けておく。次に、治具１の腕部２にスリーブ２２を差し込んで嵌合させる。このスリーブ２２の一端側の内周壁面に半田ペーストが塗布、又は、適量の切りハンダが入っている。
【００２０】
前記スリーブ２２における嵌合用のスリット２２ａが設けられた後端部２２ｂは、位置決め部材３の端面に当接させておく。位置決め部材３は、予定される位置よりも若干後方に位置させてある。
【００２１】
次に、前記治具１を同軸コネクタ２５の開口部から差し込んで嵌合させる。このとき、スリーブ２２の先端部を中心導体２１に嵌合させる。そして、フランジ４ａが前記同軸コネクタ２５の開口端部の端面に当接するまで押し込む。
【００２２】
次に、押え部材５をドライバー等でねじ込んで、その先端面でスリーブ２２をハウジング２３の中央部に向けて押し込み、該スリーブ２２の先端部がシール材２０の端面に当接するまでねじ込む。当接した段階で当該ねじ込み操作を停止する。
なお、固定リング６を有する治具１ａの場合には、この固定リング６を接続用ねじ部２５ａに螺合させ、治具１を固定する。
【００２３】
このようにして、同軸コネクタ２５に、その両開口部から治具１，１を挿着する。そして、リフローにより、その同軸コネクタ２５を加熱炉に流して、中心コンタクト２０ａを構成する中心導体２１とスリーブ２２との半田付けを行う。加熱炉の熱が治具１の基部４から腕部２に伝熱され、図１に示すように、更に、前記腕部２の先端部２ａから半田付け部分に伝熱される。こうして、加熱炉の熱が同軸コネクタ２５のハウジング２３の内部の奥部にまで伝熱される。よって、前記半田付け部分で半田ペーストが溶融して半田付けされ、中心導体２１にスリーブ２２が半田で固着される。
【００２４】
また、スリーブ２２のスリット２２ａのある後端部２２ｂは、加熱炉の熱が低熱伝導率材料でなる位置決め部材３によって伝熱阻止されて、加熱されず、この嵌合用の後端部２２ｂの嵌合保持力が鈍ることがない。
【００２５】
その後、前記半田付け用治具１を同軸コネクタ２５から取り外す。これによって、中心導体２１の両端部にスリーブ２２が固着され、且つ、鈍ることなく嵌合力が維持されて、図４（Ｄ）に示す状態となり、接続用同軸ケーブルの芯線が、雌コンタクトとしての前記スリーブ２２に接続されるものである。
【００２６】
他の半田付け方法として、シール材２０に外筒金属板が密着されている場合には、前記治具１を使用して図１に示す状態にして、ハウジング２３の取付孔とシール材２０の外筒金属板２０ｂとを半田付けするとともに、中心導体２１とスリーブ２２との半田付けをすることで、半田付け作業が一度で済ませられる。半田付け工程が半減するものである。
【００２７】
【発明の効果】
上記説明したように、本発明に係るコネクタの半田付け方法とその治具は、同軸コネクタの中心コンタクトにおける半田付け部分に先端部が当接する長さに形成された腕部と、前記中心コンタクトの端面に当接して当該中心コンタクトとの位置決めをする位置決め部材と、前記腕部と前記位置決め部材とを支持するとともに、前記同軸コネクタの開口端面に当接するフランジを有する基部とからなり、前記腕部が高熱伝導率材料で形成され、前記位置決め部材が低熱伝導率材料で形成されているので、同軸コネクタのハウジング内部に中心コンタクトを配置した状態で半田付けが可能となり、高気密に維持された同軸コネクタとなると言う優れた効果を奏するものである。また、中心コンタクトにおけるスリーブが高温にさらされることが無いので、鈍ることなくバネ性が維持され嵌合力が保持されると言う優れた効果を奏するものである。
【００２８】
基部には、同軸コネクタの開口部側の外周部に設けられた接続用ねじ部に螺合する固定リングが設けられているので、確実にハウジングに治具を固定できる。
【００２９】
前記コネクタの半田付け方法は、治具を同軸コネクタに嵌合させ、その同軸コネクタを加熱炉に流して、中心コンタクトを構成する中心導体とスリーブとの半田付けを行い、前記半田付け用治具を同軸コネクタから取り外す方法なので、ハウジングの内部に取り付けられた中心導体とスリーブとを半田付けできるようになり、高真空状態の下で使用されるハーメチック構造の同軸コネクタを量産化できるようになると言う優れた効果を奏するものである。更に、半田付け工程を半減できる場合もある。
【図面の簡単な説明】
【図１】本発明に係るコネクタの半田付け用治具１を使用した状態の断面図である。
【図２】同本発明に係るコネクタの半田付け用治具１の断面図である。
【図３】同本発明の他の実施例に係るコネクタの半田付け用治具１ａの断面図である。
【図４】従来例によるコネクタの半田付け方法を説明する説明図（Ａ），（Ｂ），（Ｃ）と、同軸コネクタ２５の使用状態説明図（Ｄ）である。
【符号の説明】
１，１ａ      コネクタの半田付け用治具、  ２        腕部、
２ａ          先端部、                    ３        位置決め部材、
４            基部、                      ４ａ      フランジ、
５            押え部材、                  ６        固定リング、
２０          シール材、                  ２０ａ    中心コンタクト、
２０ｂ        外筒金属板、                ２１      中心導体、
２２          スリーブ、                  ２２ａ    スリット、
２２ｂ        後端部、                    ２３      ハウジング、
２５          同軸コネクタ、              ２５ａ    接続用ねじ部。
【図１】
2004296398.tif 000003
【図２】
2004296398.tif 000004
【図３】
2004296398.tif 000005
【図４】
2004296398.tif 000006